(57)【特許請求の範囲】
【請求項１】
燃焼排気ガスを生成する燃焼バーナと、燃焼排気ガスとの間で熱交換を行って顕熱及び潜熱を回収する熱交換器と、前記熱交換器の熱交換により生じたドレン水を集めて排出するためのドレン排水手段と、前記ドレン排水手段に水道水を供給するための水道水供給手段と、前記水道水供給手段からの水道水の供給量を制御するための制御手段とを具備し、前記水道水供給手段から前記ドレン排水手段のドレン排出流路へ水道水を供給することによって、前記ドレン排出流路を流れるドレン水を中和するようにした燃焼装置であって、
前記燃焼バーナは複数個のバーナ部から構成され、前記燃焼バーナに燃料用ガスを供給するガス供給流路の下流側部は主供給流路部と分岐供給流路部に分岐され、前記主供給流路部及び前記分岐供給流路部が対応する前記バーナ部に夫々接続されており、
前記ガス供給流路における前記主供給流路部及び前記分岐供給流路部よりも上流側には元ガス開閉弁が配設されているとともに、前記分岐流路部にはガス切換弁が配設されており、
前記水道水供給手段は、水道水を前記ドレン排水手段の前記ドレン排水流路に供給し、その一部が主流路部と分岐流路部に分岐された水道水供給流路と、前記主流路部を通して水道水の供給、供給停止を行う水開閉弁と、前記分岐流路部を通して水道水の供給、供給停止を行う切換開閉弁とを備えており、
前記制御手段は、前記元ガス開閉弁及び前記ガス切換弁の開閉状態に対応して前記水開閉弁及び切換開閉弁を開閉制御することを特徴とする燃焼装置。
【請求項２】
前記ガス供給流路の下流側部には複数の分岐供給流路部が設けられ、前記複数の分岐供給流路部にそれぞれ前記ガス切換弁が配設されており、また前記水道水供給流路の前記一部には、前記ガス供給流路の前記分岐供給流路部の数に対応した複数の分岐流路部が設けられ、前記複数の分岐流路部にそれぞれ前記切換開閉弁が設けられており、前記制御手段は、前記ガス供給流路の前記複数の分岐供給流路部の前記ガス切換弁の開閉状態に対応して、前記水道水供給流路の前記複数の分岐流路部の前記切換開閉弁を開閉制御することを特徴とする請求項１記載の燃焼装置。
【請求項３】
暖房装置に温水を供給するための暖房用燃焼装置部と、温水を給湯するための給湯用燃焼装置部とから構成され、前記暖房用燃焼装置部及び前記給湯用燃焼装置部は、それぞれ、燃焼排気ガスを生成する燃焼バーナと、燃焼排気ガスとの間で熱交換を行って顕熱及び潜熱を回収する熱交換器と、前記熱交換器の熱交換により生じたドレン水を集めて排出するためのドレン排水手段とを備え、前記暖房装置用燃焼装置部の前記ドレン排水手段と前記給湯装置用燃焼装置部の前記ドレン排水手段とがドレン水を合流して排水するように接続され、更に、ドレン水を希釈、中和するために用いる水道水を供給するための水道水供給手段と、前記水道水供給手段を制御する制御手段とが設けられた燃焼装置であって、
前記暖房用燃焼装置部の前記燃焼バーナには燃料用ガスを供給する暖房用ガス供給流路が接続され、前記暖房用ガス供給流路には暖房用元ガス開閉弁が配設されており、
前記給湯用燃焼装置部の前記燃焼バーナには燃料用ガスを供給する給湯用ガス供給流路が接続され、前記給湯用ガス供給流路には給湯用元ガス開閉弁が配設されており、
前記制御手段は、前記暖房用元ガス開閉弁及び前記給湯用元ガス開閉弁の開閉状態に基づいて前記水道水供給手段から供給される水道水の供給量を制御することを特徴とする燃焼装置。
【請求項４】
前記水道水供給手段は、水道水を供給する第１及び第２水道水供給流路と、前記第１及び第２水道水供給流路に配設された第１及び第２水開閉弁とを備え、前記制御手段は、前記暖房用元ガス開閉弁及び前記給湯用元ガス開閉弁の開閉状態に対応して、前記第１及び第２水開閉弁を開閉制御することを特徴とする請求項３記載の燃焼装置。
【請求項５】
前記水道水供給手段は、前記燃焼バーナの燃焼終了後所定時間経過した後に水道水の供給を停止することを特徴とする請求項１〜４のいずれかにも記載の燃焼装置。
【発明の詳細な説明】
【０００１】
【発明の属する技術分野】
本発明は、潜熱回収可能な熱交換器を備えた燃焼装置に関する。
【０００２】
【従来の技術】
温水を給湯する給湯用燃焼装置は、燃焼バーナによって生成される燃焼排気ガスとの間で熱交換を行う熱交換器を備え、この熱交換器の流入側に水道水送給流路が接続され、その排出側に出湯流路が接続されている。この熱交換器においては、水道水送給路を通して水道水が熱交換器に送給され、熱交換器において燃焼排気ガスとの間で熱交換されて温められた温水が出湯流路を通して下流側に送給される。
【０００３】
この種の給湯用燃焼装置においては、熱効率を高めるために、燃焼排気ガスの排気顕熱及び排気潜熱の回収が可能である熱交換器を備えたものが実用化されだしている。潜熱回収可能な熱交換器は、通常、主熱交換器部及び副熱交換器部を備え、主熱交換器部において、燃焼排気ガス中の顕熱の回収が行われ、また副熱交換器部において、燃焼排気ガス中の顕熱のみならず、燃焼排気ガス中の水蒸気が保有している潜熱の回収が行われれる。
【０００４】
この潜熱回収型の燃焼装置では、副熱交換器部における熱交換の際に、燃焼排気ガス中の水蒸気の潜熱が奪われるので、この副熱交換器部にて水蒸気が凝縮して結露する。そして、発生した結露水（凝縮水）は、ドレン排水手段により集められてドレン水として外部に排出される。
【０００５】
このドレン水は、燃焼排気ガス中の窒素酸化物や、硫黄酸化物を吸収してｐＨ３〜４程度の酸性水となっており、それ故に、そのまま排出すると排水管の金属部分の腐食やコンクリートの劣化等につながるため、発生したドレン水のｐＨ値を排水基準の５〜９の範囲に中和する必要がある。
【０００６】
このようなことから、従来、ドレン水を排水するためのドレン排水流路に、固体のアルカリ性中和剤を充填した中和器が設けられ、この中和器にてドレン水を中和した後、排水を行っていた。しかし、この中和器を用いる方式では、長期間使用すると目詰りが発生してドレン水の排水能力が低下したり、充填した中和剤が消耗して中和性能が低下するといった問題点があった。
【０００７】
そこで、このような不都合を解消するために、中和剤として水道水を利用するようにしたものが提案されている（例えば、実開昭５７−２８２３９号公報参照）。この燃焼装置においては、熱交換器に水道水を送給する水道水送給流路とドレン排水流路とが水道水供給流路を介して接続され、この水道水供給流路に流水調節弁が配設されている。流水調節弁が開状態になると、水道水送給流路を流れる水道水の一部が水道水供給流路を通してドレン排水流路に供給されてドレン水に混入され、その開度によって水道水供給流路を流れる水道水の供給量が調整され、これによって、水道水に含まれているアルカリ成分がドレン水の酸性成分と反応し、ドレン水が水道水によって希釈、中和される。
【０００８】
【発明が解決しようとする課題】
また、最近では、燃焼バーナの燃焼熱量からドレン水の発生量を演算により求め、求めたドレン水の発生量から水道水供給手段によって供給すべき水道水の供給量、換言すると流水調整弁の開度を決定するようにしたものがあるが、制御回路の構成が複雑になるとともに、流水調節弁の開度、即ち水道水の供給量を制御するための制御が複雑になり、このことに起因して製造コストが高くなるという問題がある。
【０００９】
本発明の目的は、簡単な構成及び制御でもって、水道水供給手段からドレン排水手段に供給される水道水の供給量を制御することができる燃焼装置を提供することである。
【００１０】
本発明は、燃焼排気ガスを生成する燃焼バーナと、燃焼排気ガスとの間で熱交換を行って顕熱及び潜熱を回収する熱交換器と、前記熱交換器の熱交換により生じたドレン水を集めて排出するためのドレン排水手段と、前記ドレン排水手段に水道水を供給するための水道水供給手段と、前記水道水供給手段からの水道水の供給量を制御するための制御手段とを具備し、前記水道水供給手段から前記ドレン排水手段のドレン排出流路へ水道水を供給することによって、前記ドレン排出流路を流れるドレン水を中和するようにした燃焼装置であって、
前記燃焼バーナは複数個のバーナ部から構成され、前記燃焼バーナに燃料用ガスを供給するガス供給流路の下流側部は主供給流路部と分岐供給流路部に分岐され、前記主供給流路部及び前記分岐供給流路部が対応する前記バーナ部に夫々接続されており、
前記ガス供給流路における前記主供給流路部及び前記分岐供給流路部よりも上流側には元ガス開閉弁が配設されているとともに、前記分岐流路部にはガス切換弁が配設されており、
前記水道水供給手段は、水道水を前記ドレン排水手段の前記ドレン排水流路に供給し、その一部が主流路部と分岐流路部に分岐された水道水供給流路と、前記主流路部を通して水道水の供給、供給停止を行う水開閉弁と、前記分岐流路部を通して水道水の供給、供給停止を行う切換開閉弁とを備えており、
前記制御手段は、前記元ガス開閉弁及び前記ガス切換弁の開閉状態に対応して前記水開閉弁及び切換開閉弁を開閉制御することを特徴とする燃焼装置である。
【００１１】
本発明に従えば、熱交換器として燃焼排気ガスの顕熱及び潜熱を回収する熱交換器が用いられ、この熱交換器にて発生したドレン水はドレン排水手段のドレン排水流路を通して排出され、また水道供給手段からの水道水がこのドレン排水流路に供給され、水道水供給手段からの水道水によってドレン水が希釈、中和される。燃焼バーナは複数個のバーナ部から構成され、燃焼バーナに燃料用ガスを供給するガス供給流路（主供給流路部及び前記分岐供給流路部より上流側の部位）に元ガス開閉弁が配設され、ガス供給流路の下流側部の分岐供給流路部にガス切換弁が配設される。また、水道水供給手段は、主流路部と分岐流路部を有する水道水供給流路と、水開閉弁と、水切換開閉弁とを有し、水開閉弁が開状態になると、主流路部を通して水道水をドレン排水手段に供給し、更に切換開閉弁が開状態になると、分岐流路部からも水道水をドレン排水手段に供給する。このように元ガス開閉弁及びガス切換弁の開閉状態に基づいて水開閉弁及び切換開閉弁を制御するので、簡単な構成及び簡単な制御でもって水道水の供給量を所要の通りに制御することができ、水道水の無駄な使用を抑えることができる。
【００１２】
例えば、元ガス開閉弁が開状態にあってガス切換弁が閉状態にあるときには、燃焼バーナは小燃焼状態にあり、制御手段は、水道水の供給量が少なくなるように、この状態に対応して水開閉弁のみを開状態にし、これによって、主流路部を通して比較的少量の水道水が供給され、また例えば、元ガス開閉弁及びガス切換弁が開状態のときには、燃焼バーナは大燃焼状態にあり、制御手段は、水道水の供給量が多くなるように、この状態に対応して水開閉弁及び切換開閉弁を開状態にし、これによって、主流路部及び分岐流路部を通して比較的多量の水道水が供給され、このように簡単な制御でもって、水道水の供給を所要の通りに制御することができる。
尚、ガス供給流路の分岐供給流路部を２つ以上設けた場合、水道水供給流路においても、各分岐供給流路に対応して分岐流路部を設け、これら分岐流路部に切換開閉弁を配設するようにすることができ、水道水の供給制御を簡単化するために、２つ以上の分岐供給流路部のガス切換弁の開閉に基づいて、一つの分岐流路部の切換開閉弁を開閉するようにしてもよい。
【００１５】
また、本発明では、前記ガス供給流路の下流側部には複数の分岐供給流路部が設けられ、前記複数の分岐供給流路部にそれぞれ前記ガス切換弁が配設されており、また前記水道水供給流路の前記一部には、前記ガス供給流路の前記分岐供給流路部の数に対応した複数の分岐流路部が設けられ、前記複数の分岐流路部にそれぞれ前記切換開閉弁が設けられており、前記制御手段は、前記ガス供給流路の前記複数の分岐供給流路部の前記ガス切換弁の開閉状態に対応して、前記水道水供給流路の前記複数の分岐流路部の前記切換開閉弁を開閉制御することを特徴とする。
【００１６】
本発明に従えば、ガス供給流路は複数の分岐供給流路部を有し、各分岐供給流路部にガス切換弁が配設されている。また、ガス供給流路のこのような構成に対応して、水道水供給流路には分岐供給流路部の数に対応する複数の分岐流路部が設けられ、各分岐流路部に切換開閉弁が配設されている。そして、制御手段は、ガス供給流路の複数の分岐供給流路部のガス切換弁の開閉状態に対応して、水道水供給流路の分岐流路部の切換開閉弁を開閉制御する、例えば特定の分岐供給流路部のガス切換弁が開状態であるとこれに対応する水道水供給手段の分岐流路部の切換開閉弁を開状態にして水道水を供給するので、簡単な制御でもって水道水の供給量を所要の通りに制御することができる。
【００１７】
また、本発明では、暖房装置に温水を供給するための暖房用燃焼装置部と、温水を給湯するための給湯用燃焼装置部とから構成され、前記暖房用燃焼装置部及び前記給湯用燃焼装置部は、それぞれ、燃焼排気ガスを生成する燃焼バーナと、燃焼排気ガスとの間で熱交換を行って顕熱及び潜熱を回収する熱交換器と、前記熱交換器の熱交換により生じたドレン水を集めて排出するためのドレン排水手段とを備え、前記暖房装置用燃焼装置部の前記ドレン排水手段と前記給湯装置用燃焼装置部の前記ドレン排水手段とがドレン水を合流して排水するように接続され、更に、ドレン水を希釈、中和するために用いる水道水を供給するための水道水供給手段と、前記水道水供給手段を制御する制御手段とが設けられた燃焼装置であって、
前記暖房用燃焼装置部の前記燃焼バーナには燃料用ガスを供給する暖房用ガス供給流路が接続され、前記暖房用ガス供給流路には暖房用元ガス開閉弁が配設されており、
前記給湯用燃焼装置部の前記燃焼バーナには燃料用ガスを供給する給湯用ガス供給流路が接続され、前記給湯用ガス供給流路には給湯用元ガス開閉弁が配設されており、
前記制御手段は、前記暖房用元ガス開閉弁及び前記給湯用元ガス開閉弁の開閉状態に基づいて前記水道水供給手段から供給される水道水の供給量を制御することを特徴とする燃焼装置である。
【００１８】
本発明に従えば、燃焼装置は暖房用燃焼装置部と給湯用燃焼装置部から構成され、これら燃焼装置部のドレン排水手段が相互に接続され、水道水供給手段からの水道水がドレン排水手段に供給されるように構成されている。暖房用燃焼装置部の燃焼バーナに燃料用ガスを供給する暖房用ガス供給流路には暖房用元ガス開閉弁が設けられ、給湯用燃焼装置部の燃焼バーナに燃料用ガスを供給する給湯用ガス供給流路には給湯用元ガス開閉弁が配設され、制御手段は暖房用元ガス開閉弁及び給湯用元ガス開閉弁の開閉状態に基づいて水道水供給手段からの水道水の供給量を制御する。このように暖房用燃焼装置部及び給湯用燃焼装置部の作動、非作動に基づいて水道水の供給量を制御するので、簡単な構成及び簡単な制御でもって水道水の供給量を所要の通りに制御することができ、水道水の無駄な使用を抑えることができる。
【００１９】
例えば、給湯用元ガス開閉弁が開状態のとき（給湯用燃焼装置部が作動状態のとき）には、その熱交換器において結露が発生し易く、ドレン水の排水量が多くなり、それ故に、制御手段は水道水の供給量が多くなるように水道水供給手段を制御し、また暖房用元ガス開閉弁が開状態のとき（暖房用燃焼装置部が作動状態のとき）には、その熱交換器において発生する結露は少なく、ドレン水の排水量も少なくなり、それ故に、制御手段は水道水の供給量が少なくなるように水道水供給手段を制御する。
【００２０】
また、本発明では、前記水道水供給手段は、水道水を供給する第１及び第２水道水供給流路と、前記第１及び第２水道水供給流路に配設された第１及び第２水開閉弁とを備え、前記制御手段は、前記暖房用元ガス開閉弁及び前記給湯用元ガス開閉弁の開閉状態に対応して、前記第１及び第２水開閉弁を開閉制御することを特徴とする。
【００２１】
本発明に従えば、水道水供給手段は第１及び第２水道水供給流路を備え、第１及び第２水道水供給流路に第１及び第２水開閉弁が配設されている。そして、制御手段は暖房用元ガス開閉弁及び給湯用元ガス開閉弁の開閉状態に対応して第１及び第２水開閉弁を開閉制御する、例えば暖房用元ガス開閉弁（又は給湯用元ガス開閉弁）が開状態のときには第１水開閉弁（又は第２水開閉弁）を開状態にし、また暖房用暖房用元ガス開閉弁及び給湯用元ガス開閉弁が開状態のときには第１及び第２水開閉弁を開状態にするので、発生したドレン水を中和するのに必要な量の水道水を簡単な制御でもって供給することができる。
【００２２】
更に、本発明では、前記水道水供給手段は、前記燃焼バーナの燃焼終了後所定時間経過した後に水道水の供給を停止することを特徴とする。
本発明に従えば、水道水供給手段からの水道水の供給停止は、燃焼バーナの燃焼終了後所定時間経過後に行われる。ドレン水のドレン排水流路を通しての排水は、燃焼バーナの燃焼終了後少し時間が経過するまで行われるので、このように制御することによって、ドレン水を所要の通り中和することができる。尚、この所定時間は１〜３分程度に設定される。
【００２３】
【発明の実施の形態】
以下、添付図面を参照して、本発明に従う燃焼装置の実施形態について説明する。
第１の実施形態
まず、図１〜図４を参照して、本発明に従う燃焼装置の第１の実施形態について説明する。図１は、第１の実施形態の燃焼装置を簡略的に示す簡略図であり、図２は、図１の燃焼装置における第１及び第２ガス切換弁の開閉状態と燃料用ガスの供給量との関係を示す図であり、図３は、図１の燃焼装置における第１及び第２ガス切換弁の開閉状態と水開閉弁並びに第１及び第２切換開閉弁の開閉状態との関係を示す図であり、図４は、図１の燃焼装置の制御の一部を示すフローチャートである。
【００２４】
図１において、図示の給湯用燃焼装置２は装置ハウジング４を備え、この燃焼ハウジング４内に燃焼室６が規定されている。この燃焼室６の上方には図１において横方に延びる排気流路８が形成され、排気流路８の下流端には排気口１０が設けられている。燃焼室６の下部には燃焼バーナ１２が配設され、図示の形態では、この燃焼バーナ１２が第１〜第３バーナ部１４，１６，１８から構成されている。また、燃焼室６の下端部には送風ファン２０が設けられ、この送風ファン２０は燃焼用空気を燃焼室６に送給する。
【００２５】
燃焼バーナ１２には、ガス供給流路２２を通して燃料用ガス（例えば、都市ガス、ＬＰガス）が供給される。ガス供給流路２２の下流側部は主供給流路部２４並びに第１及び第２分岐ガス供給流路部２６，２８に分岐され、主ガス供給流路部２４が第１バーナ部１４に接続され、第１分岐供給流路部２６が第２バーナ部１６に接続され、第２分岐供給流路部２８が第３バーナ部１８に接続されている。ガス供給流路２２における主供給流路部２４並びに第１及び第２分岐供給流路部２６，２８よりも上流側には、上流側から元ガス開閉弁３０及び比例弁３１が順次設けられ、第１分岐供給流路部２６には第１ガス切換弁３２が設けられ、第２分岐供給流路部２８には第２ガス切換弁３４が設けられている。元ガス開閉弁３０はガス供給流路２２を開閉して燃料用ガスの供給、供給停止を行い、比例弁３１はガス供給流路２２を流れる燃料用ガスの供給量を制御し、また第１ガス切換弁３２は第１分岐供給流路部２６を開閉して第２バーナ部１６への燃料用ガスの供給、供給停止を行い、第２ガス切換弁３４は第２分岐供給流路部２８を開閉して第３バーナ部１８への燃料用ガスの供給、供給停止を行う。
【００２６】
このように構成されているので、図２（ａ）及び（ｂ）で示すように、燃焼バーナ１２の燃焼状態は４段階、即ちＡ〜Ｄ領域に制御される。元ガス開閉弁３０のみが開状態となるＡ領域では、燃料用ガスが主供給流路部２４を通して第１バーナ部１４に送給され、燃焼バーナ１２は、第１バーナ部１４のみにて燃焼する小燃焼状態となる。元ガス開閉弁３０及び第１ガス切換弁３２が開状態となるＢ領域では、燃料用ガスが主供給流路部１２及び第１分岐供給流路部２６を通して第１及び第２バーナ部１４，１６に送給され、燃焼バーナ１２は、第１及び第２バーナ部１４，１６にて燃焼する中の小燃焼状態となる。元ガス開閉弁３０及び第２ガス切換弁３４が開状態となるＣ領域では、燃料用ガスが主供給流路部１２及び第２分岐供給流路部２８を通して第１及び第３バーナ部１４，１８に送給され、燃焼バーナ１２は、第１及び第３バーナ部１４，１８にて燃焼する中の大燃焼状態となる。また、元ガス開閉弁３０並びに第１及び第２ガス切換弁３２，３４が開状態となるＤ領域では、燃料用ガスが主供給流路部２４並びに第１及び第２分岐供給流路部２６，２８を通して第１〜第３バーナ部１４，１６，１８に送給され、燃焼バーナ１２は、第１〜第３バーナ部１４，１６，１８にて燃焼する大燃焼状態となる。燃焼バーナ１２の燃焼によって発生する燃焼排気ガスは、燃焼室６及び排気流路８を通して流れて排気口１０から外部に排出される。
【００２７】
燃焼室６の下流側の排気流路８には、燃焼排気ガス中の顕熱及び潜熱を回収する熱交換器３６が配設されている。熱交換器３６は主熱交換器部３８と副熱交換器部４０から構成され、燃焼排気ガスの流れ方向に見て、上流側に主熱交換器部３８が配設され、下流側に副熱交換器部４０が配設されている。
【００２８】
この燃焼装置２は、台所の流し台、洗面台等に設けられるカラン（図示せず）に温水を給湯するための装置として用いられ、水道水埋設管の如き水道水供給源（図示せず）からの水道水を供給する水道水送給流路４２が熱交換器３６の副熱交換器部４０に接続され、カランに接続される出湯流路４４がその主熱交換器部３８に接続され、水道水送給流路４２には水道水開閉弁４６が配設されている。
【００２９】
このように構成されているので、カラン（図示せず）を開栓すると、水道水送給流路４２の水道水開閉弁４６が開状態になり、水道水送給流路４２からの水道水は、まず、熱交換器３２の副熱交換器部４０に送給され、この副熱交換器部４０にて燃焼排気ガスとの間で熱交換され、燃焼排気ガス中の顕熱及び潜熱の回収が行われる。この副熱交換器部４０にて熱交換された温水は、次に、主熱交換器部３８に送給され、この主熱交換器部３８にて燃焼排気ガスとの間で熱交換され、燃焼排気ガス中の顕熱の回収が行われる。このように熱交換器３６にて加熱された温水は、出湯流路４４を通してカラン（図示せず）に送給され、開栓したカランから出湯する。
【００３０】
上述した燃焼装置２においては、熱交換器３６の副熱交換器部４０にて燃焼排気ガス中の潜熱も回収するので、この副熱交換器部４０に結露が発生するようになり、このことに関連して、副熱交換器部４０にて結露した水をドレン水として外部に排水するように、ドレン排水手段４８が設けられている。図示のドレン排水手段４８は、装置ハウジング４の所定部位（具体的には、副熱交換器部４０の下方に位置する部位）に設けられたドレン受部５０と、このドレン受部５０から延びるドレン排水流路５２を含んでおり、副熱交換器４０にて結露した水は滴下してドレン受部５０に集められ、このドレン受部５０からドレン排水流路５２を通して外部に排水される。
【００３１】
ドレン排水流路５２には混合槽５３が設けられ、この混合槽５３にドレン水を希釈、中和するために用いる水道水を供給するための水道水供給手段５４が接続されている。水道水供給手段５４は、水道水を供給する水道水供給流路５６を備え、この水道水供給流路５６の一端側が水道水送給流路４２（具体的には、水道水開閉弁４６より上流側部位）に接続され、その他端側がドレン排水流路５２の混合槽５３に接続されている。
【００３２】
この形態では、水道水供給流路５６の下流側部が主流路部５８並びに第１及び第２分岐流路部６０，６２に分岐され、ガス供給流路２０の分岐供給流路部２６，２８の分岐数に対応して水道水供給流路５６の分岐流路部６０，６２が設けられ、これら主流路部５８並びに第１及び第２分岐流路部６０，６２が混合槽５３に接続されている。水道水供給流路５６（具体的には、分岐流路部６０，６２より上流側部位）には水開閉弁６４が配設され、第１及び第２分岐流路部６０，６２には第１及び第２切換開閉弁６６，６８が配設されている。
【００３３】
このように構成されているので、水開閉弁６４が開状態になると、水道水送給流路４２からの水道水は水道水供給流路５６の主流路部５８を通して混合槽５３に少量供給される。水開閉弁６４及び第１切換開閉弁６６（又は第２切換開閉弁６８）が開状態になると、水道水供給流路５６の主流路部５８及び第１分岐流路部６０（又は第２分岐流路部６２）を通して水道水が混合槽５３に中量供給される。この形態では、第１分岐流路部６０を通して流れる供給量よりも第２分岐流路部６２を通して流れる供給量の方が大きくなるように設定され、従って、水開閉弁６４及び第２切換開閉弁６６が開状態のときの方が水道水の供給量が多くなる。また、水開閉弁６４並びに第１及び第２切換開閉弁６６，６８が開状態になると、水道水供給流路５６の主流路部５８並びに第１及び第２分岐流路部６０，６２を通して水道水が混合槽５３に大量供給される。
【００３４】
尚、この実施形態では、水道水供給流路５６の下流側部を分岐させた後にドレン排水流路５２に接続しているが、このような構成に代えて、その中間部において分岐した後これらを合流させ、合流後の水道水供給流路をドレン排水流路５２の混合槽５３に、或いは混合槽５３よりも上流側の部位、又はドレン受部５０に接続するようにしてもよい。また、この実施形態では、水道水供給流路５６の中間部に水開閉弁６４を、また第１及び第２分岐流路部６０，６２に第１及び第２切換開閉弁６６，６８を設けているが、このような構成に代えて、水道水供給流路５６の主流路部５８に水開閉弁６４を設け、第１及び第２分岐流路部６０，６２に第１及び第２切換開閉弁６６，６８を設けるようにしてもよく、このように構成しても上述したと同様に水道水を供給することができる。
【００３５】
この実施形態では、水道水供給手段５４（水開閉弁６４並びに第１及び第２切換開閉弁６６，６８）は制御手段７０によって制御され、この制御手段７０は作動制御手段７２及びタイマ７４を含んでいる。作動制御手段７２は、水開閉弁６４並びに第１及び第２切換開閉弁６６，６８を燃焼バーナ１２の燃焼状態、即ち元ガス開閉弁３０並びに第１及び第２ガス切換弁３２，３４の開閉状態に対応して水開閉弁６４並びに第１及び第２切換開閉弁６６，６８を開閉制御する。この形態では、水開閉弁６４が元ガス開閉弁３０に対応し、第１ガス切換弁３２が第１切換開閉弁６６に対応し、また第２ガス切換弁３４が第２切換開閉弁６８に対応しており、作動制御手段７２は、元ガス開閉弁３０が開状態のときには元ガス開閉弁３０からの開状態の信号に基づいて切換開閉弁６４を開状態にし、第１ガス切換弁３２が開状態のときには第１ガス切換弁３２からの開状態の信号に基づいて第１切換開閉弁６６を開状態にし、また第２ガス切換弁３４が開状態のときには第２ガス切換弁３４からの開状態の信号に基づいて第２切換開閉弁６８を開状態にする。従って、図３に示すように、この作動制御手段７２は、元ガス開閉弁３０が開状態である領域Ａにおいては水開閉弁６４を開状態にし、元ガス開閉弁３０及び第１ガス切換弁３２が開状態である領域Ｂにおいては水開閉弁６４及び第１切換開閉弁６６を開状態にし、元ガス開閉弁３０及び第２ガス開閉弁３４が開状態である領域Ｃにおいては水開閉弁６４及び第２切換開閉弁６８を開状態にし、また元ガス開閉弁３０並びに第１及び第２ガス切換弁６６，６８が開状態である領域Ｄにおいては水開閉弁６４並びに第１及び第２切換開閉弁６６，６８が開状態にする。また、タイマ７４は設定時間を計時する。
【００３６】
次に、図１とともに図４を参照して、上述した燃焼装置２におけるドレン水の中和処理について説明する。燃焼装置２が非作動のときには、元ガス開閉弁３０が閉（オフ）に維持される。このとき、燃焼バーナ１２での燃焼なはく、熱交換器３６の副熱交換器部４０にて結露は発生せず、水開閉弁６４は閉状態に保たれる（ステップＳ−２）。従って、水道水供給手段５４は非作動状態に保たれ、水道水供給流路５４を通してドレン排水流路５２に水道水が供給されることはない。
【００３７】
このような状態から燃焼装置２を作動させると、ステップＳ−１からステップＳ−３に移り、元ガス切換弁３０が開（オン）状態であることに対応して、この元ガス切換弁３０からの信号に基づいて制御手段７０は水開閉弁６４を開状態にする。次に、ステップＳ−４に進み、第１ガス切換弁３２が開状態であるか否かが判断され、第１ガス切換弁３２が閉状態であると、第１切換開閉弁６６も閉状態に保たれるが（ステップＳ−５）、第１ガス切換弁３２が開状態であると、この第１ガス切換弁３２からの信号に基づいて制御手段７０は第１切換開閉弁６６を開状態にする（ステップＳ−６）。次いで、ステップＳ−７に進み、第２ガス切換弁３４が開状態であるか否かが判断され、第２ガス切換弁３４が閉状態であると、第２切換開閉弁６８も閉状態に保たれるが（ステップＳ−８）、第２ガス切換弁３４が開状態であると、この第２ガス切換弁３４からの信号に基づいて制御手段７０は第２切換開閉弁６８を開状態にする（ステップＳ−９）。このように、制御手段７０は、燃焼バーナ１２の燃焼状態、換言すると元ガス開閉弁３０並びに第１及び第２ガス切換弁３２，３４の開閉状態に対応して、水開閉弁６４並びに第１及び第２切換開閉弁６６，６８を図３に示すように開閉制御するので、熱交換器３６の副熱交換器部４０で発生するドレン水を中和するのに適した量の水道水が水道水供給手段５４から混合槽５３に供給される。混合槽５３においては、ドレン排水流路５２からのドレン水と水道水供給手段５４からの水道水とが混合され、ドレン水が水道水によって希釈、中和される。
【００３８】
次に、ステップＳ−１０に進み、元ガス開閉弁３０が開状態であるか否かが判断され、燃焼装置２の作動状態が継続し、元ガス開閉弁１０が開状態に保持されているときにはステップＳ−３に戻り、ステップＳ−３からステップＳ−１０が繰り返し遂行される。これに対して、燃焼装置２の作動が終了し、元ガス開閉弁１０が閉状態になると、タイマ７４が作動し（ステップＳ−１１）、このタイマ７４が所定時間（例えば、１〜３分程度に設定される）を計時するまでその状態た保たれる。そして、タイマ７４がタイムアップする（ステップＳ−１２）と、ステップＳ−１３に進み、水開閉弁６４が閉状態になり、第１及び第２切換開閉弁６６，６８が閉状態になり（ステップＳ−１４）、水道水供給手段５４による水道水の供給が終了する。このように燃焼バーナ１２の燃焼終了後所定時間（タイマ７４がタイムアップする期間）継続して水道水を供給するので、ドレン水が完全に排水するまで水道水供給手段５４による水道水の供給が行われ、発生したドレン水を確実に希釈、中和することができる。
【００３９】
この実施形態では、燃焼バーナ１２を３つのバーナ部１４，１６，１８から構成しているが、この燃焼バーナ１２を２つ又は４つ以上のバーナ部から構成してもよい。例えば、燃焼バーナ１２を２つのバーナ部から構成した場合、一方のバーナ部にガス供給流路の主供給流路部が接続され、他方のバーナ部にその分岐供給流路部が接続され、このガス供給流路に上述したと同様に元ガス開閉弁及びガス切換弁が配設される。また、このような構成に対応して、水道水供給手段の水道水供給流路の一部は主流路部と分岐流路部に分岐され、この水道水供給流路に上述したように水開閉弁及び切換開閉弁が配設される。そして、水開閉弁は元ガス開閉弁の開閉状態に対応して開閉制御され、切換開閉弁はガス切換弁の開閉状態に対応して開閉制御され、このようにすることによって、上述したと同様の作用効果が達成される。
【００４０】
また、上述した実施形態では、元ガス開閉弁３０並びに第１及び第２ガス切換弁３２，３４の開状態の一つ一つの信号に基づいて、それらに対応する水開閉弁６４並びに第１及び第２切換開閉弁６６，６８を開状態にしているが、このような構成に代えて、例えば、次ぎのように構成するようにしてもよい。制御手段を制御用マイコンから構成し、この制御用マイコンのメモリに図３に示す作動パターン（燃焼バーナ１２の燃焼状態と水開閉弁６４並びに第１及び第２切換開閉弁６６，６８の開閉状態との関係を示す作動パターン）を記憶し、元ガス開閉弁３０並びに第１及び第２ガス切換弁３２，３４の開状態の信号に基づいて、それらの開閉状態に対応する作動パターンを読み出し、読み出した作動パターンに基づいて水開閉弁６４並びに第１及び第２切換開閉弁６６，６８を開閉制御するようにしてもよい。
【００４１】
また、上述した実施形態では、第１及び第２ガス切換弁３２，３４の各々に対応するように第１及び第２切換開閉弁６６，６８を設けているが、このような構成に代えて、例えば第１及び第２ガス切換弁３２，３４に対応するように切換開閉弁を設けるようにしてもよい。この場合、水道水供給流路の一部を主流路部と分岐流路部とに分岐し、このような水道水供給流路に上述したと同様に水開閉弁及び切換開閉弁を設け、第１及び第２ガス切換弁６６，６８のいずれか一つ又は双方が開状態のときに切換開閉弁を開状態にして分岐流路部をも通して水道水を供給するようにすることができる。
【００４２】
第２の実施形態
次に、図５及び図６を参照して、第２の実施形態の燃焼装置について説明する。図５は、第２の実施形態の燃焼装置を簡略的に示す簡略図であり、図６は、図５の燃焼装置の制御の一部を示すフローチャートである。尚、以下の実施形態において、第１の実施形態と実質上同一の部材には同一の参照番号を付し、その説明を省略する。
【００４３】
図５において、第２の実施形態の燃焼装置２Ａは、給湯用温水を生成するための給湯用燃焼装置部１０２と、温水暖房装置に用いる温水を生成するための暖房用燃焼装置部１０４とから構成されている。給湯用燃焼装置部１０２の構成は、第１の実施形態の燃焼装置２と実質上同一の構成を有しており、それ故に、この給湯用燃焼装置部１０２の詳細な構成は省略する。
【００４４】
暖房用燃焼装置部１０４は、その基本的構成が給湯用燃焼装置部１０２と同一であり、燃焼バーナ１０６が第１及び第２バーナ部１０８，１１０から構成されている。また、燃焼室１１２の下端部には送風ファン１１４が設けられている。燃焼バーナ１０６には暖房用ガス供給流路１１６が接続され、このガス供給流路１１６の下流側部は主ガス供給流路部１１８と分岐ガス供給流路部１２０とに分岐され、主ガス供給流路部１２０が第１バーナ部１０８に接続され、分岐ガス供給流路部１２０が第２バーナ部１１０に接続されている。暖房用ガス供給流路１１６における主ガス供給流路部１１８及び分岐ガス供給流路部１２０よりも上流側には、上流側から暖房用元ガス開閉弁１２２及び暖房用比例弁１２４が順次設けられ、分岐ガス供給流路部１２０には暖房用ガス切換弁１２６が設けられている。
【００４５】
燃焼室１１２の下流側の排気流路１２８には、潜熱回収可能な暖房用熱交換器１３０が配設され、この暖房用熱交換器１３０は、給湯用燃焼装置部１０２の熱交換器３６と同様に、顕熱の回収を行う主熱交換器部１３２と、顕熱及び潜熱の回収を行う副熱交換器部１３４とから構成され、燃焼排気ガスの流れ方向に見て、上流側に主熱交換器部１３４が配設され、下流側に副熱交換器部１３６が配設されている。
【００４６】
暖房装置（例えば、床暖房装置、浴室暖房乾燥機、エアコン等）の温水循環流路１３８は、暖房装置に向けて温水を送給する往き流路部１４０と、暖房用熱交換器１３０に向けて温水を戻す戻し流路部１４２を有し、往き流路部１４０が熱交換器１３０の主熱交換器部１３２に接続され、戻り流路部１４２がその副熱交換器部１３４に接続されている。また、戻り流路部１４２には、温水を貯める貯湯タンク１４４と、温水を循環するための循環ポンプ１４６が配設されている。従って、温水循環流路１３８の戻り流路部１４２からの温水は、暖房用熱交換器１３０の副熱交換器部１３４において熱交換され、この副熱交換器部１３４にて燃焼排気ガス中の顕熱及び潜熱が回収され、次いでその主熱交換器部１３２において熱交換され、燃焼排気ガス中の顕熱が回収され、このように暖房用熱交換器１３０にて熱交換されて加熱された温水が往き流路部１４０を通して暖房装置に送給され、このようにして温水が温水循環流路１３８を通して循環される。
【００４７】
暖房用熱交換器１３０においても副熱交換器部１３４にて燃焼排気ガス中の潜熱を回収するので、この副熱交換器部１３４に結露が発生するようになり、このことに関連して、給湯用燃焼装置部１０４にもドレン排水手段１５２が設けられている。このドレン排水手段１５２は、暖房用燃焼装置部１０４のハウジング部１５４の所定部位（具体的には、副熱交換器部１３４の下方に位置する部位）に設けられたドレン受部１５４と、このドレン受部１５４から延びるドレン排水流路１５６を含み、ドレン排出流路１５６が給湯用燃焼装置部１０２のドレン排水流路５２に合流するように接続され、ドレン排水流路５２のこの合流部により下流側に混合槽５３が設けられている。従って、暖房用燃焼装置部１０４の副熱交換器部１３４にて結露した水は滴下してドレン受部１５４に集められ、このドレン受部１５４からドレン排水流路１５６を通り、更に給湯用燃焼装置部１０２のドレン排水流路５２を通して外部に排出される。
【００４８】
給湯用及び暖房用燃焼装置部１０２，１０４からのドレン水が排水されるドレン排水流路５２の混合槽５３には、ドレン水を中和処理するための水道水供給手段１５８が接続されている。この第２の実施形態における水道水供給手段１５８は、給湯用燃焼装置部１０２の給湯用熱交換器３６に水道水を送給する水道水送給流路４２とドレン排水流路５２とを接続する第１及び第２水道水供給流路１６０，１６２と、これら第１及び第２水道水供給流路１０６，１６２に配設された第１及び第２水開閉弁１６４，１６６から構成され、第１水開閉弁１６４が開状態になると、水道水送給流路４２からの水道水は、第１水道水供給流路１６０を通して混合槽５３に供給され、また第２水開閉弁１６６が開状態になると、水道水送給流路４２からの水道水は、第２水道水供給流路１６２を通して混合槽５３に送給される。
【００４９】
この第２の実施形態では、水道水供給手段１５８（第１及び第２水開閉弁１６４，１６６）は制御手段１６８によって制御され、この制御手段１６８は作動制御手段１７０及びタイマ１７２を含んでいる。作動制御手段１７０は、第１及び第２水開閉弁１６４，１６６を給湯用及び暖房用燃焼装置部１０２，１０４の作動状態、即ち給湯用元ガス開閉弁３０及び暖房用元ガス開閉弁１２２の開閉状態に対応して第１及び第２水開閉弁１６４，１６６を開閉制御する。この形態では、第１水開閉弁１６４が給湯用元ガス開閉弁３０に対応し、第２水開閉弁１６６が暖房用元ガス開閉弁１２２に対応しており、作動制御手段１７０は、給湯用元ガス開閉弁３０が開状態のときには給湯用元ガス開閉弁３０からの開状態の信号に基づいて第１水開閉弁１６４を開状態にし、暖房用元ガス開閉弁１２２が開状態のときには暖房用元ガス開閉弁１２２からの開状態の信号に基づいて第２水開閉弁１６６を開状態にする。
【００５０】
次に、図５とともに図６を参照して、上述した燃焼装置２Ａにおけるドレン水の中和処理について説明する。まず、ステップＳ−２１において、燃焼装置２Ａが作動したか否かが判断され、燃焼装置２Ａが非作動状態のときにはステップＳ−２２に進み、第１及び第２水開閉弁１６４，１６６が閉状態に保持される。このときには、給湯用及び暖房用燃焼装置部１０２，１０４の燃焼バーナ３６，１３０での燃焼はなく、それ故に、燃焼装置２Ａにおいてドレン水が発生せず、第１及び第２水開閉弁１６４，１６６は閉状態に保たれ、水道水供給手段１５８から水道水が供給されることはない。
【００５１】
燃焼装置２Ａが作動すると、ステップＳ−２１からステップＳ−２３に移り、まず、給湯用燃焼装置部１０２が作動状態か否か、換言すると給湯用元ガス開閉弁３０が開状態であるか否かが判断される。給湯用燃焼装置部１０２が非作動であるときには、給湯用元ガス開閉弁３０が閉に保持されており、この給湯用元ガス開閉弁３０の閉状態に対応して第１水開閉弁１６４が閉状態に保持される（ステップＳ−２４）。一方、給湯用燃焼装置部１０２が作動状態であると、給湯用元ガス開閉弁３０が開状態であり、この給湯用元ガス開閉弁３０の開状態に対応して第１水開閉弁１６４が開状態になる（ステップＳ−２５）。
【００５２】
次に、ステップＳ−２６に移り、暖房用燃焼装置部１０４が作動状態か否か、換言すると暖房用元ガス開閉弁１２２が開状態であるか否かが判断される。暖房用燃焼装置部１０４が非作動であるときには、暖房用元ガス開閉弁１２２が閉に保持されており、この暖房用元ガス開閉弁１２２の閉状態に対応して第２水開閉弁１６６が閉状態に保持される（ステップＳ−２７）。一方、暖房用燃焼装置部１０４が作動状態であると、暖房用元ガス開閉弁１２２が開状態であり、この暖房用元ガス開閉弁１２２の開状態に対応して第２水開閉弁１６６が開状態になる（ステップＳ−２８）。
【００５３】
このように、制御手段１６８は、給湯用及び暖房用燃焼装置部１０２，１０４の作動状態、換言すると給湯用及び暖房用元ガス開閉弁３０，１２２の開閉状態に対応して、水道水供給手段１５８の第１及び第２水開閉弁１６４，１６６を開閉制御するので、給湯用及び暖房用熱交換器３６，１３０の副熱交換器部４０，１３４で発生するドレン水を中和するのに適した量の水道水を水道水供給手段５４からドレン排水流路５２の混合槽５３に供給し、この混合槽５３にてドレン水を中和することができる。
【００５４】
次に、ステップＳ−２９に進み、給湯用及び暖房用元ガス開閉弁３０，１２２が閉状態であるか否かが判断され、燃焼装置２Ａの作動状態（給湯用及び暖房用燃焼装置部１０２，１０４のいずれか一方又は双方の作動状態）が継続し、給湯用及び暖房用元ガス開閉弁３０，１２２のいずれか一方又は双方が開状態に保持されているときにはステップＳ−２３に戻り、ステップＳ−２３からステップＳ−２９が繰り返し遂行される。これに対して、燃焼装置２Ａの作動が終了し、給湯用及び暖房用元ガス開閉弁３０，１２２の双方が閉状態になると、タイマ１７２が作動し（ステップＳ−３０）、このタイマ１７２がタイムアップする（ステップＳ−３１）と、第１水開閉弁１６４が閉状態になり（ステップＳ−３２）、また第２水開閉弁１６６が閉状態になる（ステップＳ−３３）。
【００５５】
上述した第２の実施形態では、給湯用燃焼装置部１０２及び暖房用燃焼装置部１０４の作動状態、換言すると給湯用及び暖房用元ガス開閉弁の開閉状態に対応して水道水供給手段１５８の第１及び第２水開閉弁１６４，１６６を開閉制御しているが、この第２の実施形態における給湯用燃焼装置部１０２及び／又は暖房用燃焼装置部１０４に第１の実施形態の技術的思想（燃焼バーナの燃焼状態に対応して水道水供給手段からの水道水の供給量を制御する）を組み合わせるようにしてもよい。
【００５６】
以上、本発明に従う燃焼装置の各種実施形態について説明したが、本発明はかかる実施形態に限定されるものではなく、本発明の範囲を逸脱することなく種々の変形乃至修正が可能である。
【００５７】
例えば、第１及び第２の実施形態では、いずれも、排気流路が横方向に延び、この排気流路の上流側部に熱交換器の主熱交換器部が配設され、その下流側部に副熱交換器部３６が配設された形態の燃焼装置に適用して説明したが、このような形態の燃焼装置に限定されず、例えば燃焼室から上方（又は下方）に排気流路が延び、この排気流路の上流側部に主熱交換器部が配設され、この主熱交換器部の上方（又は下方）である排気流路の下流側部に副熱交換器部が配設された形態のものにも同様に適用することができる。
【００５８】
また、例えば、上述した形態ではドレン排水流路５２に混合槽５３を設けてこの混合槽５３にてドレン水と水道水を混合しているが、ドレン水と水道水を所要の通り混合できる場合には、この混合槽５３を省略することもできる。
【００５９】
本発明の請求項１の燃焼装置によれば、燃焼バーナは複数個のバーナ部から構成され、燃焼バーナに燃料用ガスを供給するガス供給流路に元ガス開閉弁が配設され、ガス供給流路の下流側部の分岐供給流路部にガス切換弁が配設され、また水道水供給手段は主流路部と分岐流路部を有する水道水供給流路と、水開閉弁と、水切換開閉弁とを有し、制御手段は、元ガス開閉弁及びガス切換弁の開閉状態に基づいて、水開閉弁及び切換開閉弁を開閉制御するので、簡単な構成及び簡単な制御でもって水道水の供給量を所要の通りに制御することができ、水道水の無駄な使用を抑えることができる。
【００６１】
また、本発明の請求項２の燃焼装置によれば、ガス供給流路は複数の分岐供給流路部を有し、各分岐供給流路部にガス切換弁が配設され、また水道水供給流路には分岐供給流路部の数に対応する複数の分岐流路部が設けられ、各分岐流路部に水切換弁が配設され、制御手段は、ガス供給流路の複数の分岐供給流路部のガス切換弁の開閉状態に対応して、水道水供給流路の分岐流路部の水切換弁を開閉制御するので、簡単な制御でもって水道水の供給量を所要の通りに制御することができる。
【００６２】
また、本発明の請求項３の燃焼装置によれば、燃焼装置は暖房用燃焼装置部と給湯用燃焼装置部から構成され、暖房用燃焼装置部の燃焼バーナに燃料用ガスを供給する暖房用ガス供給流路には暖房用元ガス開閉弁が設けられ、給湯用燃焼装置部の燃焼バーナに燃料用ガスを供給する給湯用ガス供給流路には給湯用元ガス開閉弁が配設され、制御手段は暖房用元ガス開閉弁及び給湯用元ガス開閉弁の開閉状態に基づいて水道水供給手段からの水道水の供給量を制御するので、簡単な構成及び簡単な制御でもって、また燃焼装置部の作動状態に応じて、水道水の供給量を所要の通りに制御することができ、水道水の無駄な使用を抑えることができる。
【００６３】
また、本発明の請求項４の燃焼装置によれば、水道水供給手段は第１及び第２水道水供給流路を備え、第１及び第２水道水供給流路に第１及び第２水開閉弁が配設され、制御手段は暖房用元ガス開閉弁及び給湯用元ガス開閉弁の開閉状態に対応して第１及び第２水開閉弁を開閉制御するので、給湯用及び暖房用燃焼装置部の燃焼バーナにて発生したドレン水を中和するのに必要な量の水道水を簡単な制御でもって供給することができる。
【００６４】
更に、本発明の請求項５の燃焼装置によれば、水道水供給手段からの水道水の供給が燃焼バーナの燃焼終了後所定時間経過するまで行われるので、燃焼後ドレン排水流路を流れるドレン水をも中和することができる。
【図面の簡単な説明】
【図１】本発明に従う燃焼装置の第１の実施形態を簡略的に示す図である。
【図２】図１の燃焼装置における第１及び第２ガス切換弁の開閉状態と燃料用ガスの供給量との関係を示す図である。
【図３】図１の燃焼装置における第１及び第２ガス切換弁の開閉状態と水開閉弁並びに第１及び第２切換開閉弁の開閉状態との関係を示す図である。
【図４】図１の燃焼装置の制御の一部を示すフローチャートである。
【図５】本発明に従う燃焼装置の第２の実施形態を簡略的に示す図である。
【図６】図５の燃焼装置の制御の一部を示すフローチャートである。
【符号の説明】
２，２Ａ  燃焼装置
６，１１２  燃焼室
８，１２８  排気流路
１２，１０６  燃焼バーナ
３０，１２２  元ガス開閉弁
３２，３４  ガス切換弁
３６，１３０  熱交換器
３８，１３２  主熱交換器部
４０，１３４  副熱交換器部
４８，１５２  ドレン排水手段
５２，１５６  ドレン排水流路
５４，１５８  水道水供給手段
５６，１６０，１６２  水道水供給流路
６４，１６４，１６６  水開閉弁
６６，６８  切換開閉弁
７０，１６８  制御手段
１０２  給湯用燃焼装置部
１０４  暖房用燃焼装置部
【図１】
0004508487.tif 000002
【図２】
0004508487.tif 000003
【図３】
0004508487.tif 000004
【図４】
0004508487.tif 000005
【図５】
0004508487.tif 000006
【図６】
0004508487.tif 000007